(57)【要約】【課題】指圧やマッサージなどの漢方療法を伝授教習するに際して、指圧等を施すべき経穴（つぼ）及びリンパ組織群の正確な位置を示して教習し習得させる。【解決手段】伸縮弾力性がある薄い布素材を用いて人体の外面に密着するように製作されたレオタード又はタイツのような肌着に、体の表面から手で触れてわかる骨格の図を描き付けるとともに、主要な経絡線３及び主要な経穴（つぼ）５の位置を示す図と、多数のリンパ管と多数のリンパ節が存在する主要なリンパ組織群７の位置を示す図とを描き付けたものである。【選択図】図１
0003107479.tif 000002
【実用新案登録請求の範囲】
【請求項１】
指圧，マッサージなどの整体療法を教習するための補助手段であって、伸縮弾力性がある薄い布素材を用いて人体の外面に密着するように製作されたレオタード又はタイツのような肌着に、人体にある主要な経絡線及び経穴（つぼ）の位置を示す図と主要なリンパ組織群の位置を示す図とを描き付けたことを特徴とする指圧整体療法教習用肌着。
【請求項２】
指圧，マッサージなどの整体療法を教習するための補助手段であって、伸縮弾力性がある薄い布素材を用いて人体の外面に密着するように製作されたレオタード又はタイツのような肌着に、体の表面から手で触れてわかる骨格の図を描き付けるとともに、人体にある主要な経絡線及び経穴（つぼ）の位置を示す図と主要なリンパ組織群の位置を示す図とを描き付けたことを特徴とする指圧整体療法教習用肌着。
【請求項３】
指圧，マッサージなどの整体療法を教習するための補助手段であって、伸縮弾力性がある薄い布素材を用いて人体の外面に密着するように製作されたレオタード又はタイツのような肌着に、体の表面から手で触れてわかる骨格の図を描き付けるとともに、人体にある主要な経絡線及び経穴（つぼ）の位置を示す図と主要なリンパ組織群の位置を示す図とを色分けして描き付けたことを特徴とする指圧整体療法教習用肌着。
【考案の詳細な説明】
【技術分野】
【０００１】
この考案は、指圧，マッサージなどの整体療法の教習にあたって、指圧やマッサージを施すべき正確な経穴（つぼ）及びリンパ組織群の位置を正確に教えまた習得することができるようにするために用いる指圧整体療法教習用肌着に関するものである。
【背景技術】
【０００２】
指圧やマッサージの療法を行うためには、まず、指圧等を行うべき人体の経穴及びリンパ組織群の位置を正確に習得し、適正な指圧などの方法を体得する必要がある。この経穴及びリンパ組織群の位置を習得するには、生身の人間を教材として、漢方療法の達人である先生の直接的個人的な実務教習により体得するしかない。そのため、指圧やマッサージを正確に習得するには非常に手間と時間がかかり、適正正確に漢方療法を実施できる人は少ないという現状である。
【０００３】
そこで、容易に経穴の位置を知ることができるようにするための手段として、肌着に経穴の位置を表示するという発想の発明又は考案である下記のような多数の特許資料が発表されている。
【０００４】
しかし、これらの特許資料の内容を調べてみると、素人でも簡単に覚えることができるというような効能書きのものが多く、また、安易で粗雑な内容のものが多く、そのようなものでは、正しい経穴の位置を覚えて正確な療法を習得することができず、不正確な療法を施してかえって患者の健康を損ねるというおそれもあった。
【特許文献１】特開２００２−３０６５６７号公報
【特許文献２】特開２００２−２００１３９号公報
【特許文献３】実全平０３−０８８５３０号公報
【特許文献４】実全平０１−００９６３９号公報
【特許文献５】特開昭６３−１４３０６６号公報
【特許文献６】特開昭５９−１２０１５７号公報
【考案の開示】
【考案が解決しようとする課題】
【０００５】
解決しようとする問題点は、指圧やマッサージの療法を伝授するためには、生身の人間を教材として直接に個人実技指導をして教習習得させなければならず、また、指圧等を施す位置と指圧等の方法を正確に教習し体得させるのは手間暇のかかるものであるという点である。
【課題を解決するための手段】
【０００６】
この考案は、伸縮弾力性がある薄い布素材を用いて人体の外面に密着するように製作されたレオタード又はタイツのような肌着に、主要な経絡線及び経穴の位置を示す図と主要なリンパ組織群の位置を示す図とを描き付けたものである。また、前記肌着に、体の表面から手で触れてわかる骨格の図を描き付けるとともに、主要な経絡線及び経穴の位置を示す図と主要なリンパ組織群の位置を示す図とを描き付けたものである。また、これらを色分けして描き付けたものである。なお、リンパ組織群とは比較的大きなリンパ管とリンパ節が群集している箇所をいうものとする。また、前記「主要な」の意味は、医学的な意味ではなく、体の外面からその部位に指圧やマッサージを施すことによって、効果的な医療効果が著しく得られるか否かということによって決めたものである。
【考案の効果】
【０００７】
この考案による指圧整体療法教習用肌着は、伸縮弾力性がある薄い布素材を用いて人体の外面に密着するように製作された肌着に、主要な経絡線及び経穴の位置を示す図と主要なリンパ組織群の位置を示す図とが描き付けられているので、この肌着を装着した人を教材として、指圧整体療法を伝授し修習するようにすれば、指圧等を施すべき正しい経穴及びリンパ組織群の位置を教習することが比較的容易にできる。特に、前記肌着に体の表面から手で触れてわかる骨格の図を描き付けるとともに、経絡線及び経穴及びリンパ組織群の位置を示す図を描き付けたものでは、この肌着を人体に装着したとき、肌着に位置ずれが生じても、装着した人の実際の骨格に肌着の骨格の図を合わせることにより、正確な経穴及びリンパ組織群の位置が示される。もって、正しい指圧整体療法を教習することができる。また、これらを色分けして描き付けたものでは、教習が容易になる。
【考案を実施するための最良の形態】
【０００８】
この考案による指圧整体療法教習用肌着は、伸縮弾力性がある薄い布素材を用いて人体の外面に密着するように製作されたレオタード又はタイツのような肌着に、体の表面から手で触れてわかる骨格の図を描き付けるとともに、主要な経絡線及び経穴の位置を示す図と主要なリンパ組織群の位置を示す図とを描き付けたものである。また、これらを色分けして描き付けたものである。
【実施例１】
【０００９】
図１は、この考案による指圧整体療法教習用肌着の実施例の正面を示す図、図２はその背面を示す図、図３はその側面を示す図である。図において、符号３は主要な経絡線、５は主要な経穴、７は主要なリンパ組織群の各位置を示すものである。
【００１０】
図１，図２及び図３に示すこの考案による指圧整体療法教習用肌着は、伸縮弾力性がある薄い布素材を用いて人体の外面に密着するように製作されている。身長や肥満度や性別により各人の体の大きさや体型は種々であるが、この肌着は伸縮弾力性がある布素材を用いて製作されているので、例えば、大中小，肥痩というように、数種類の大きさの肌着を製作して用意しておけば、その何れかのもので大抵の人に装着することができる。
【００１１】
図１，図２及び図３に示すように、この考案による指圧整体療法教習用肌着には、体の表面から手で触れてわかる骨格の図が描き付けられるとともに、人体の主要な経絡線３及び経穴（つぼ）５の位置を示す図と主要なリンパ組織群７の位置を示す図とが描き付けられている。図では、骨格や経絡線３は適当に省略しているが、実物の肌着には左右共に描かれている。また、実物の肌着は人体の外面に密着する形状で、三次元立体曲面であるのに対して、図面は二次元平面であるので、不正確にならざるをえないし、省略した部分もある。例えば、足の裏面中央部には「湧泉」という経穴があり、足指の付根にも数カ所の経穴があり、実物の肌着には、これらの位置を示す図が描き付けられている。
【００１２】
この肌着を体に装着したとき、各人の体型が異なり、肌着に伸縮弾力性があるので、位置のずれが部分的に生じることがある。その場合でも、この肌着には体の表面から手で触れてわかる骨格の図が描き付けられているので、この肌着を部分的に引っ張って、その人の骨格にこの肌着に描かれている骨格の図を合わせるようにすることにより、正しい経絡線３及び経穴５及びリンパ組織群７の位置が示されるようになる。経絡線３及び経穴５及びリンパ組織群７の位置は、骨格の位置、特に骨の縁部や端部や関節などの位置と密接に関連して定まっているからである。
【００１３】
また、図ではこの肌着に描き付けられている経絡線３や経穴５やリンパ組織群７の名称は記入されていないが、それらの主要なものについて、その名称をこの肌着に記入してもよい。名称が記入してあれば、経絡線３や経穴５やリンパ組織群７の名称を覚えやすく教習の助けになる。
【００１４】
また、図１，図２及び図３に示したこの考案による指圧整体療法教習用肌着は、頭から手足の先まで一体に製作されたものを示したが、例えば、体の前面中心線にジッパー（ファスナー）付きの開口を設けるとか、何らかの手段により体への着脱を可能にすることが必要である。また、例えば、上半身と下半身とに分けて製作し、ファスナーなどで上下を繋ぐようにしてもよい。また、頭部と顔面を覆う首から上の部分は別に製作してもよい。
【００１５】
図１，図２及び図３に示すこの考案による指圧整体療法教習用肌着に、前記のような骨格の図と経絡線３及び経穴５の位置を示す図とリンパ組織群７の位置を示す図とを描き付けるには、印刷するとか、染め付けるとか、手書きにより描き付けるとか、色糸を用いて縫いつけるなどの手段がある。また、色を分けて描き付けると理解が容易になり教習効果が向上する。
【００１６】
また、この指圧整体療法教習用肌着に描く経穴５の特に主要なものは大きくその他のものは小さく描き付けるとか、特に主要な経穴５やリンパ組織群７には指圧やマッサージの要領や方向などを適当な記号で記入するというようなことをしてもよい。
【００１７】
図４は人体の正面にある経絡線及び経穴を示す図、図５は人体の背面にある経絡線及び経穴を示す図、図６は人体の側面にある経絡線及び経穴を示す図である。
【００１８】
漢方では、人体内の五臓六腑の機能に関連するものとして、胃経，肝経，三焦経，小腸経，心経，心包経，腎経，胆経，大腸経，肺経，脾経及び膀胱経とともに督脈，任脈など、人体に１２経脈，１５絡脈があり、この経絡線上の関所ともいえる重要な箇所となるのが経穴（つぼ）であり、これらの経穴に指圧や鍼灸を施すことにより、五臓六腑の機能が改善され、全身の健康を保ち向上させることができるとされている。
【００１９】
また、人体内には毛細血管から滲出した体液（リンパ液）が充満している。リンパ液内にあるリンパ球は、体内に侵入してきた病原菌の取り込みや免疫などの重要な機能に関係する。リンパ管は全身に網の目のように分布しており、上記の役目を果たしたリンパ液を逐次集めて心臓に戻す。リンパ節は、リンパ液が集まってくるリンパ管の途中の中継基地として、全身の免疫機能を担う検疫所であり、病原菌などを取り込んだリンパ液を濾過して処理する。リンパ液は自力では流れにくいため、病原菌などを取り込んだリンパ液がリンパ節の付近で詰まりがちである。そうなると、むくみなどが生じ、血流も悪くなり、神経や内臓にも悪影響を及ぼし、免疫機能なども低下する。
【００２０】
図１，図２及び図３に示すように、この指圧整体療法教習用肌着には、主要なリンパ組織群７の位置を示す図が描き付けられており、リンパ組織群７の正しい位置を知ることができ、このリンパ組織群７の付近を心臓の方へ向けて優しくマッサージを施すことにより、リンパ液の流れを促進し、上記のような体全体の機能の低下を防ぎ機能の回復をはかることができる。
【００２１】
なお、以上の記載において、主要な経穴５とか主要なリンパ組織群７とかいうときの「主要な」の意味は、学問的に主要なという意味ではなく、体の外面からその部位に指圧やマッサージを施すことによって、著しく効果的な医療効果が得られるか否かによって決めたものである。
【００２２】
以上のように、この考案による指圧整体療法教習用肌着は、伸縮弾力性がある薄い布素材を用いて人体の外面に密着するように製作された肌着に、体の表面から手で触れてわかる骨格の図を描き付けるとともに、人体の経絡線３及び経穴５及びリンパ組織群７の位置を示す図とを描き付けたことにより、骨格との連関によって、この肌着を人体に正確に装着することができ、正しい経絡線３及び経穴５及びリンパ組織群７の位置を示して教習することができる。
【産業上の利用可能性】
【００２３】
指圧やマッサージなどの療法を行うためには、経穴やリンパ組織群の位置を正確に習得し、適正な指圧やマッサージなどの方法を体得することが必要であり、生身の人間を教材として、直接的個人的な実務教習により体得するしかなく、非常に手間と時間がかかるものであるが、この考案による指圧整体療法教習用肌着を使用すれば、教習の手間と時間を短縮することができ、正確な療法の習得を支援する極めて有効な手段であり、正確な療法の普及により、人々の健康の改善と増進に資することができる。勿論、肌着という衣料業にも貢献する。
【図面の簡単な説明】
【００２４】
【図１】この考案による指圧整体療法教習用肌着の実施例の正面を示す図である。
【図２】この考案による指圧整体療法教習用肌着の実施例の背面を示す図である。
【図３】この考案による指圧整体療法教習用肌着の実施例の側面を示す図である。
【図４】人体の正面にある経絡線及び経穴を示す図である。
【図５】人体の背面にある経絡線及び経穴を示す図である。
【図６】人体の側面にある経絡線及び経穴を示す図である。
【符号の説明】
【００２５】
３：経絡線、
５：経穴（つぼ）、
７：リンパ組織群。
【図１】
0003107479.tif 000003
【図２】
0003107479.tif 000004
【図３】
0003107479.tif 000005
【図４】
0003107479.tif 000006
【図５】
0003107479.tif 000007
【図６】
0003107479.tif 000008